(57)【要約】【課題】内部にごみ等の異物が混入したり、誤って開封されてしまったりすることを防止できながらも、開封のしやすさを向上させる。【解決手段】封筒本体１０を構成する後面片１２について、フラップ部２０が後面片１２に対向するように折り畳まれた際にフラップ部２０に対向する領域のうち、ホットメルト糊３０が塗布された領域よりも前面片１１との連接辺となる折り部１３ａ側に、前面片１１と接着された２辺を結ぶようにミシン目１４を形成するとともに、フラップ部２０の前面片１１との連接辺となる折り部１３ｂに隣接する２辺と互いに接着する。【選択図】  図１
2004352304.tif 000002
【特許請求の範囲】
【請求項１】
１辺が互いに連接し、該１辺に隣接する２辺が互いに接着された前面片及び後面片からなる封筒本体と、前記前面片の前記後面片との連接辺とは反対側の辺にて連接した封用蓋片とを有し、前記封用蓋片が前記後面片に対向するように折り畳まれ、前記後面片に設けられた接着手段によって前記封用蓋片と前記後面片とが接着されることにより封緘される封筒であって、
前記後面片は、前記封用蓋片が当該後面片に対向するように折り畳まれた際に前記封用蓋片に対向する領域のうち、前記接着手段が設けられた領域よりも前記前面片との連接辺側に、前記前面片と接着された２辺を結ぶように形成された複数の切り込みを有するとともに、前記封用蓋片の前記前面片との連接辺に隣接する２辺と互いに接着されていることを特徴とする封筒。
【請求項２】
請求項１に記載の封筒において、
前記封用蓋片は、前記前面片との連接辺とは反対側の辺の両端が切り欠かれていることを特徴とする封筒。
【請求項３】
請求項１または請求項２に記載の封筒において、
前記後面片は、前記複数の切り込みと、前記前面片との連接辺とは反対側の辺との間の領域に所定の情報が印刷され、
前記封用蓋片は、前記後面片に対向するように折り畳まれた際に前記所定の情報の少なくとも一部に重なる領域に、該領域に印刷された情報が当該封用蓋片を介して外部から視認不可能となるような加工が施されていることを特徴とする封筒。
【請求項４】
請求項１乃至３のいずれか１項に記載の封筒において、
前記複数の切り込みは、一端の延長線が、隣接する切り込みと交差するように形成されていることを特徴とする封筒。
【発明の詳細な説明】
【０００１】
【発明の属する技術分野】
本発明は、封用蓋片を有してなる封筒に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒に封入、封緘され、封入体として受取人に送付されている。
【０００３】
このような封入体は、受取人が封筒を開封して封筒に封入された送付物を閲覧することによって、差出人が通知したい情報が受取人に通知されることになる。
【０００４】
また、近年においては、送付物を封入、封緘する封筒としてフィルムを用い、このフィルムから作成された封筒に封入物が封入、封緘された封入体が流通している。このフィルムから作成された封筒においては、紙から作成された封筒と比べて、耐水性に優れ、また、透明のフィルムを用いれば、封入されている封入物を視認可能に構成することもでき、さらに、フィルムの色によっては、外観上も優れたものとすることができる。
【０００５】
図８は、フィルムを用いた従来の封筒の一構成例を示す図であり、（ａ）は封筒を裏面側から見た図、（ｂ）は（ａ）に示したＡ−Ａ’断面図である。
【０００６】
本従来例は図８に示すように、折り部５１３ａを介して互いに連接した前面片５１１及び後面片５１２からなる封筒本体５１０と、折り部５１３ｂを介して封筒本体５１０の前面片５１１と連接したフラップ部５２０とから構成されており、封筒本体５１０が、前面片５１１と後面片５１２とが互いに対向するように折り部５１３ａにて折り畳まれて折り部５１３ａに隣接する２辺が互いに接着されることにより、内容物５４０が封入される領域が形成され、さらに、折り部５１３ｂにてフラップ部５２０が後面片５１２に対向するように折り畳まれ、後面片５１２に塗布されたホットメルト糊５３０によってフラップ部５２０と後面片５１２とが接着されることにより封筒が封緘される。なお、封筒本体５１０及びフラップ部５２０の両端部分は、封筒の製造段階にて熱により溶着されている。また、ホットメルト糊５３０は、後面片５１２のうち、フラップ部５２０が折り部５１３ｂにて折り畳まれた際にフラップ部５２０の折り部５１３ｂとは反対側端部から所定の距離を有する領域にてフラップ部５２０の前記端部に略平行に塗布されており、それにより、フラップ部５２０の折り部５１３ｂとは反対側端部においては、フラップ摘み代５２１が形成されている。
【０００７】
上記のように構成された封筒から内容物５４０を取り出す場合は、フラップ摘み代５２１を摘んでフラップ摘み代５２１が後面片５１２から離れる方向に引っ張り、ホットメルト糊５３０によって接着されたフラップ部５２０と封筒本体５１０の後面片５１２とを剥離することにより封筒を開封し、内容物５４０を取り出したり、はさみやナイフ等を用いて封筒本体５１０やフラップ部５２０を断裁することにより封筒を開封し、内容物５４０を取り出したりすることになる。
【０００８】
このような封筒においては、開封のしやすさが要求されており、開封のしやすさを向上させるための１つの技術として、上述した封筒本体の後面片の糊が塗布された領域の周囲に連続切取線及び鎖線状の切取線を設け、この連続切取線及び鎖線状の切取線とによって、フラップ部を引っ張った際に、後面片の糊が塗布された領域を後面片から切断し、該領域が糊によってフラップ部に接着された状態のまま封筒を開封することが考えられている。
【０００９】
図９は、従来の封筒の他の構成例を示す図であり、（ａ）は封緘される前の状態を示す図、（ｂ）は封緘された後に開封された状態を示す図である。
【００１０】
図９（ａ）に示すように本従来例においては、内容物６４０が封入される封筒本体６１０のうちフラップ部６２０が折り畳まれた際に対向する部分の一部に、フラップ部６２０と封筒本体６１０とを接着することにより封筒を封緘するための糊６３０が塗布されているとともに、封筒本体６１０の糊６３０が塗布された領域の周囲において、封筒本体６１０の開口部とは反対側に連続切取線６１４が設けられ、また、連続切取線６１４の両端部から封筒本体６１０の開口部に渡って鎖線状の切取線６１５がそれぞれ形成されている。
【００１１】
このように構成された封筒を開封する場合、フラップ部６２０を摘んでフラップ部６２０が封筒本体６１０から離れる方向に引っ張ると、図９（ｂ）に示すように、封筒本体６１０のうち、連続切取線６１４及び鎖線状の切取線６１５を介して、糊６３０が塗布された領域が封筒本体６１０から切断され、該領域が糊６３０によってフラップ部６２０に接着された状態のまま封筒が開封されることになる（例えば、特許文献１参照。）。
【００１２】
【特許文献１】
実用新案登録第３０１２６０号公報
【００１３】
【発明が解決しようとする課題】
しかしながら、上述したような従来の封筒においては、開封のしやすさは向上するものの、開封のしやすさを向上させるために封筒本体に連続切取線が形成されているため、その連続切取線からごみ等の異物が封筒内に混入してしまったり、例えば、搬送中において連続切取線に指等が入り込み誤って封筒が開封されてしまったりする虞れがある。
【００１４】
また、封筒本体のうち連続切取線及び鎖線状の切取線で囲まれた領域のみがフラップ部に接着された状態で開封される必要があるため、その他の領域はフラップ部と接着されていない状態でなければならず、そのため、封筒本体とフラップ部とが互いに接着されていない領域から上記同様に、ごみ等の異物が封筒内に混入してしまったり、例えば、搬送中においてその領域に指等が入り込み誤って封筒が開封されてしまったりする虞れがある。
【００１５】
本発明は、上述したような従来の技術が有する問題点に鑑みてなされたものであって、内部にごみ等の異物が混入したり、誤って開封されてしまったりすることを防止できながらも、開封のしやすさを向上させることができる封筒を提供することを目的とする。
【００１６】
【課題を解決するための手段】
上記目的を達成するために本発明は、
１辺が互いに連接し、該１辺に隣接する２辺が互いに接着された前面片及び後面片からなる封筒本体と、前記前面片の前記後面片との連接辺とは反対側の辺にて連接した封用蓋片とを有し、前記封用蓋片が前記後面片に対向するように折り畳まれ、前記後面片に設けられた接着手段によって前記封用蓋片と前記後面片とが接着されることにより封緘される封筒であって、
前記後面片は、前記封用蓋片が当該後面片に対向するように折り畳まれた際に前記封用蓋片に対向する領域のうち、前記接着手段が設けられた領域よりも前記前面片との連接辺側に、前記前面片と接着された２辺を結ぶように形成された複数の切り込みを有するとともに、前記封用蓋片の前記前面片との連接辺に隣接する２辺と互いに接着されていることを特徴とする。
【００１７】
また、前記封用蓋片は、前記前面片との連接辺とは反対側の辺の両端が切り欠かれていることを特徴とする。
【００１８】
また、前記後面片は、前記複数の切り込みと、前記前面片との連接辺とは反対側の辺との間の領域に所定の情報が印刷され、
前記封用蓋片は、前記後面片に対向するように折り畳まれた際に前記所定の情報の少なくとも一部に重なる領域に、該領域に印刷された情報が当該封用蓋片を介して外部から視認不可能となるような加工が施されていることを特徴とする。
【００１９】
また、前記複数の切り込みは、一端の延長線が、隣接する切り込みと交差するように形成されている。
【００２０】
（作用）
上記のように構成された本発明においては、封筒を開封するために封用蓋片を該封用蓋片が後面片から離れるように引っ張ると、後面片と封用蓋片とが接着された状態で後面片が複数の切り込みにて断裁され、それにより、後面片のうち、複数の切り込みを介して接着手段が設けられた側のみが封用蓋片に接着された状態で封筒が開封される。これにより、開封のしやすさが向上し、また、後面辺が封用蓋片の前面片との連接辺に隣接する２辺と互いに接着されていることにより、封筒内部にごみ等の異物が混入したり、誤って開封されてしまったりすることが防止される。
【００２１】
また、封用蓋片のうち、前面片との連接辺とは反対側の辺の両端が切り欠かれていれば、その領域においては、封用蓋片と後面辺とが接着されていないので、開封のしやすさがさらに向上する。
【００２２】
また、後面片のうち、複数の切り込みと、前面片との連接辺とは反対側の辺との間の領域に所定の情報を印刷し、かつ、封用蓋片のうち、後面片に対向するように折り畳まれた際に所定の情報の少なくとも一部に重なる領域に、該領域に印刷された情報が封用蓋片を介して外部から視認不可能となるような加工を施しておけば、封筒の受取人において、後面辺に印刷された所定の情報のうち上記加工が施された部分を認識するために開封率が向上する。
【００２３】
また、複数の切り込みを、一端の延長線が、隣接する切り込みと交差するように形成すれば、封筒を開封する際に、封用蓋片を前面片との連接辺に対して垂直方向に引っ張った場合であっても、後面片が複数の切り込みにて断裁され、封筒を容易に開封することができる。
【００２４】
【発明の実施の形態】
以下に、本発明の実施の形態について図面を参照して説明する。
【００２５】
（第１の実施の形態）
図１は、本発明の封筒の実施の一形態を示す図であり、（ａ）は封筒を裏面側から見た図、（ｂ）は（ａ）に示したＡ−Ａ’断面図である。
【００２６】
本形態は図１に示すように、フィルム材料からなり、折り部１３ａを介して一辺どうしにて互いに連接した前面片１１及び後面片１２からなる封筒本体１０と、フィルム材料からなり、前面片１１の折り部１３ａとは反対側の辺に設けられた折り部１３ｂを介して前面片１１と連接した封用蓋片であるフラップ部２０とから構成されており、封筒本体１０が、前面片１１と後面片１２とが互いに対向するように折り部１３ａにて折り畳まれて折り部１３ａに隣接する２辺が互いに接着されることにより、内容物４０が封入される領域が形成され、さらに、折り部１３ｂにてフラップ部２０が後面片１２に対向するように折り畳まれ、後面片１２に塗布された接着手段であるホットメルト糊３０によってフラップ部２０と後面片１２とが接着されることにより封筒が封緘される。なお、封筒本体１０の後面辺１２及びフラップ部２０の互いに対向する領域のうち、折り部１３ａ，１３ｂにそれぞれ隣接する辺どうしは、封筒の製造段階にて熱により溶着されている。また、ホットメルト糊３０は、後面片１２のうち、フラップ部２０が折り部１３ｂにて折り畳まれた際にフラップ部２０の折り部１３ｂとは反対側端部から所定の距離を有する領域にてフラップ部２０の前記端部に略平行に塗布されており、それにより、フラップ部２０の折り部１３ｂとは反対側端部においては、フラップ摘み代２１が形成されている。さらに、本形態においては、後面片１２のフラップ部２０に対向する領域のうち、ホットメルト糊３０が塗布された領域よりも折り部１３ａ側に、前面片１１と接着された２辺を結ぶようにホットメルト糊３０と略平行に複数の切り込みとなるミシン目１４が形成されているとともに、フラップ部２０の折り部１３ｂとは反対側の辺の両端が切り欠かれて切り欠き部２２ａ，２２ｂが形成されている。
【００２７】
以下に、上記のように構成された封筒を開封する際の作用について説明する。
【００２８】
図２は、図１に示した封筒を開封する際の作用を説明するための図であり、（ａ）は開封する前の状態を示す図、（ｂ）は開封した後の状態を示す図である。
【００２９】
図１に示した封筒を開封する前は、図２（ａ）に示すように、フラップ部２０が折り部１３ｂにて折り畳まれ、かつ、ホットメルト糊３０によって封筒本体１０の後面片１２に接着されており、それにより、封筒が封緘されている。
【００３０】
図１に示した封筒を開封する場合は、フラップ摘み代２１を摘んでフラップ摘み代２１が後面片１２から離れる方向に引っ張ると、図２（ｂ）に示すように、後面片１２とフラップ部２０とが接着された状態で後面片１２がミシン目１４にて断裁され、それにより、後面片１２のうち、ミシン目１４を介してホットメルト糊３０が塗布された側のみがフラップ部２０に接着された状態で封筒が開封される。なお、この際、前面片１１と後面片１２とは、上述したように、折り部１３ａに隣接する２辺が互いに接着されているが、封筒本体１０及びフラップ部２０がフィルム材料から構成されているため、ミシン目１４によって切断されはじめた後面片１２は、フラップ部２０と対向する領域において前面片１１と接着されている領域についてもフラップ摘み代２１を引っ張る力によって切断されることになる。また、フラップ部２０と後面片１２とは、上述したように、互いに対向する領域のうち、折り部１３ａ，１３ｂにそれぞれ隣接する辺どうしが封筒の製造段階にて熱により溶着されているが、フラップ部２０の折り部１３ｂとは反対側の辺の両端が切り欠かれて切り欠き部２２ａ，２２ｂが形成されているため、この切り欠き部２２ａ，２２ｂの近傍にさらなる摘み代が形成されており、この摘み代によってフラップ部２０が摘みやすくなっている。
【００３１】
上述したように本形態においては、後面片１２のフラップ部２０に対向する領域のうち、ホットメルト糊３０が塗布された領域よりも折り部１３ａ側に、前面片１１と接着された２辺を結ぶようにホットメルト糊３０と略平行に複数の切り込みとなるミシン目１４が形成されているため、この封筒を開封する場合は、フラップ摘み代２１を摘んでフラップ摘み代２１が後面片１２から離れる方向に引っ張ると、後面片１２とフラップ部２０とが接着された状態で後面片１２がミシン目１４にて断裁されることになり、それにより、開封のしやすさを向上させることができる。また、封筒本体１０の後面辺１２とフラップ部２０とがその両端部においても接着されているため、内部にごみ等の異物が混入したり、誤って開封されてしまったりすることが防止される。さらに、フラップ部２０の折り部１３ｂとは反対側の辺の両端が切り欠かれて切り欠き部２２ａ，２２ｂが形成されているため、開封のしやすさをさらに向上させることができる。
【００３２】
（第２の実施の形態）
図３は、本発明の封筒の第２の実施の形態を示す図であり、（ａ）は封緘前の状態を示す図、（ｂ）は封緘した状態を示す図、（ｃ）は（ｂ）に示したＡ−Ａ’断面図である。
【００３３】
本形態は図３に示すように、第１の実施の形態にて示したものに対して、後面片１２のうち、ホットメルト糊２０が塗布された領域と、折り部１３ａとは反対側の辺との間に封筒の郵送先に通知すべき通知情報５１が印刷されており、また、フラップ部２０のうち、フラップ部２０が折り部１３ｂにて折り畳まれた場合に通知情報５１の一部に重なる領域に、その部分の通知情報がフラップ部２０を介して外部から視認不可能となるような隠蔽部５４となる加工が施されている。また、後面片１２は、通知情報５１の一部が印刷された領域が通知情報５１の他の部分が印刷された領域から切断されるためのスリット５３が形成されている。
【００３４】
以下に、上記のように構成された封筒を開封する際の作用について説明する。
【００３５】
図４は、図３に示した封筒を開封する際の作用を説明するための図であり、（ａ）は開封する前の状態を示す図、（ｂ）は開封した後の状態を示す図であり、（ｃ）は封筒を開封した後、フラップ部２０に接着された状態の後面片１２の一部をフラップ部２０から剥離した状態を示す図である。
【００３６】
図３に示した封筒を開封する前は、フラップ部２０が折り部１３ｂにて折り畳まれ、かつ、ホットメルト糊３０によって封筒本体１０の後面片１２に接着されており、それにより、封筒が封緘されている。また、その状態においては、図４（ａ）に示すように、後面片１２に印刷された通知情報５１は、フラップ部２０に設けられた隠蔽部５４に重ならない領域がフラップ部２０を介して視認可能となっている。なお、そのためにフラップ部２０は、透明あるいは透視可能なフィルムである必要がある。一方、後面片１２に印刷された通知情報５１のうち、フラップ部２０に設けられた隠蔽部５４に重なる領域においては、隠蔽部５４によってフラップ部２０を介して外部から視認不可能となっている。
【００３７】
その後、図３に示した封筒を開封する場合は、フラップ摘み代２１を摘んでフラップ摘み代２１が後面片１２から離れる方向に引っ張ると、後面片１２とフラップ部２０とが接着された状態で後面片１２がミシン目１４にて断裁され、それにより、後面片１２のうち、ミシン目１４を介してホットメルト糊３０が塗布された側のみがフラップ部２０に接着された状態で封筒が開封される。この際、図４（ｂ）に示すように、通知情報５１が印刷された領域がフラップ部２０に接着された状態となる。
【００３８】
その後、フラップ部２０に接着された後面片１２の一部をフラップ部２０から剥離することにより、後面片１２に印刷された通知情報５１が認識されることになる。また、スリット５３によって切断される領域に、例えば、図示するような引換券等の情報を印刷しておけば、フラップ部２０に接着された後面片１２から引換券のみをスリット５３によって切り離して利用することができる。
【００３９】
上述したように本形態においては、後面片１２のうち、ホットメルト糊２０が塗布された領域と折り部１３ａとは反対側の辺との間に封筒の郵送先に通知すべき通知情報５１が印刷されており、また、フラップ部２０のうち、フラップ部２０が折り部１３ｂにて折り畳まれた場合に通知情報５１の一部に重なる領域に、その部分の通知情報がフラップ部２０を介して外部から視認不可能となるような隠蔽部５４となる加工が施されているため、封筒の受取人において、通知情報５１のうち隠蔽部５４によって隠蔽された部分を認識するために開封率を向上させることができる。
【００４０】
（第３の実施の形態）
図５は、本発明の封筒の第３の実施の形態を示す図であり、（ａ）は封緘前の状態を示す図、（ｂ）は封緘した状態を示す図、（ｃ）は（ｂ）に示したＡ−Ａ’断面図である。
【００４１】
本形態は図５に示すように、第１の実施の形態にて示したものに対して、後面片１２において、ミシン目１４の代わりに、折り部１３ａに対して２辺がそれぞれ所定の角度を有するくの字型の切り込み１１４が、該くの字型の切り込み１１４の１辺の延長線上に、隣接する切り込み１１４の他辺が配置されるように形成されている。
【００４２】
以下に、上記のように構成された封筒を開封する際の作用について説明する。
【００４３】
図６は、図５に示した封筒を開封する際の作用を説明するための図であり、（ａ）は開封する前の状態を示す図、（ｂ）は開封した後の状態を示す図である。
【００４４】
図５に示した封筒を開封する前は、フラップ部２０が折り部１３ｂにて折り畳まれ、かつ、ホットメルト糊３０によって封筒本体１０の後面片１２に接着されており、それにより、封筒が封緘されている。
【００４５】
その後、図５に示した封筒を開封する場合は、フラップ摘み代２１を摘んでフラップ摘み代２１が後面片１２から離れる方向に引っ張ると、後面片１２とフラップ部２０とが接着された状態で後面片１２が複数の切り込み１１４にて断裁され、それにより、後面片１２のうち、複数の切り込み１１４を介してホットメルト糊３０が塗布された側のみがフラップ部２０に接着された状態で封筒が開封される。
【００４６】
ここで、複数の切り込み１１４による後面片１２の断裁作用について詳細に説明する。
【００４７】
図５に示した封筒を開封するためにフラップ摘み代２１を摘んでフラップ摘み代２１が後面片１２から離れる方向に引っ張ると、後面片１２のうちホットメルト糊３０が塗布された領域がフラップ部２０の動作に追従しようとし、それにより、複数の切り込み１１４のうち、くの字型を構成する２辺の端部に力がかかる。それにより、後面片１２が、切り込み１１４のくの字型を構成する２辺の延長線に沿って断裁されていこうとするが、くの字型を構成する２辺のうち、１辺の延長線上に、隣接する切り込み１１４のくの字型を構成する他辺が配置されるように構成されていれば、その１辺の延長線に沿って後面片１２が断裁されていくと、隣接する切り込み１１４のくの字型を構成する他辺に突き当たり、隣接する切り込みどうしが連結されることになる。
【００４８】
このようにして複数の切り込み１１４が互いに連結され、後面片１２が複数の切り込み１１４にて断裁されることになる。
【００４９】
上述したように本形態においては、後面片１２において、折り部１３ａに対して２辺がそれぞれ所定の角度を有するくの字型の切り込み１１４が、該くの字型の切り込み１１４の１辺の延長線上に、隣接する切り込み１１４の他辺が配置されるように形成されているため、封筒を開封する際に、フラップ摘み代２１を折り部１３ａ，１３ｂと垂直方向に引っ張った場合であっても、後面片１２が複数の切り込み１１４にて断裁され、封筒を容易に開封することができる。
【００５０】
なお、本形態においては、折り部１３ａに対して２辺がそれぞれ所定の角度を有するくの字型の切り込み１１４が、該くの字型の切り込み１１４の１辺の延長線上に、隣接する切り込み１１４の他辺が配置されるように形成されているが、この切り込みの形状はくの字型に限定されず、切り込みの一端の延長線が、隣接する切り込みと交差するように形成されているものであれば、円形の山型等の切り込みであってもよい。ただし、切り込みの一端の延長線が、折り部１３ｂ側に向いている必要がある。
【００５１】
（第４の実施の形態）
第３の実施の形態においては、後面片１２に形成される切り込み１１４として、折り部１３ａに対して２辺がそれぞれ所定の角度を有するくの字型であって、該くの字型の１辺の延長線上に、隣接する切り込み１１４の他辺が配置されるものを例に挙げて説明したが、切り込み１１４の形状はこれに限らない。
【００５２】
図７は、本発明の封筒の第４の実施の形態を示す図であり、（ａ）は封緘前の状態を示す図、（ｂ）は封緘した状態を示す図である。
【００５３】
本形態は図７に示すように、第３の実施の形態にて示したものに対して、後面片１２において、くの字型の切り込み１１４の代わりに、開口領域に対して広がるような傾斜を有するコの字型の切り込み２１４が複数隣接するように形成されており、また、ホットメルト糊３０が、コの字型の内部に塗布されている。
【００５４】
上記のように構成された封筒においては、封筒を開封するためにフラップ摘み代２１を摘んでフラップ摘み代２１が後面片１２から離れる方向に引っ張ると、後面片１２のうちホットメルト糊３０が塗布された領域がフラップ部２０の動作に追従しようとし、それにより、複数の切り込み２１４のうち、コの字型の開口領域の端部に力がかかる。それにより、後面片１２が、切り込み２１４のコの字型の開口領域の端部からその端部を有する２辺の延長線にそって断裁されていくが、コの字型の切り込み２１４は、開口領域に対して広がるような傾斜を有して隣接するように複数形成されているため、断裁された領域が、隣接する切り込み２１４によって断裁された領域と連結されることになる。
【００５５】
このようにして複数の切り込み２１４が互いに連結され、後面片１２が複数の切り込み２１４にて断裁されることになる。
【００５６】
なお、本形態においては、後面片１２に形成される切り込み２１４の形状として、開口領域に対して広がるような傾斜を有するコの字型を例に挙げて説明したが、その他に山型等、開口領域に対して広がるような傾斜を有するものであれば様々な形状が考えられる。
【００５７】
また、上述した４つの実施の形態においては、フラップ部２０の折り部１３ｂとは反対側の辺の両端が切り欠かれて切り欠き部２２ａ，２２ｂが形成されているが、切り欠き部２２ａ，２２ｂは、封筒を開封する際に開封するきっかけをつくり、開封しやすくするために補助的に設けられたものであって、必ずしも設ける必要はない。
【００５８】
【発明の効果】
以上説明したように本発明においては、１辺が互いに連接し、該１辺に隣接する２辺が互いに接着された前面片及び後面片からなる封筒本体と、前面片の後面片との連接辺とは反対側の辺にて連接した封用蓋片とを有し、封用蓋片が後面片に対向するように折り畳まれ、後面片に設けられた接着手段によって封用蓋片と後面片とが接着されることにより封緘される封筒において、後面片のうち、封用蓋片が当該後面片に対向するように折り畳まれた際に封用蓋片に対向する領域のうち、接着手段が設けられた領域よりも前面片との連接辺側に、前面片と接着された２辺を結ぶように形成された複数の切り込みを有するとともに、封用蓋片の前面片との連接辺に隣接する２辺と互いに接着されている構成としたため、内部にごみ等の異物が混入したり、誤って開封されてしまったりすることを防止できながらも、開封のしやすさを向上させることができる。
【００５９】
また、封用蓋片のうち、前面片との連接辺とは反対側の辺の両端が切り欠かれている構成としたものにおいては、その領域においては、封用蓋片と後面辺とが接着されていないため、開封のしやすさをさらに向上させることができる。
【００６０】
また、後面片のうち、複数の切り込みと、前面片との連接辺とは反対側の辺との間の領域に所定の情報が印刷され、封用蓋片のうち、後面片に対向するように折り畳まれた際に所定の情報の少なくとも一部に重なる領域に、該領域に印刷された情報が当該封用蓋片を介して外部から視認不可能となるような加工が施されているものにおいては、封筒の受取人において、後面辺に印刷された所定の情報のうち上記加工が施された部分を認識するために開封率を向上させることができる。
【００６１】
また、複数の切り込みが、一端の延長線が、隣接する切り込みと交差するように形成されているものにおいては、封筒を開封する際に、封用蓋片を前面片との連接辺に対して垂直方向に引っ張った場合であっても、後面片が複数の切り込みにて断裁され、封筒を容易に開封することができる。
【図面の簡単な説明】
【図１】本発明の封筒の実施の一形態を示す図であり、（ａ）は封筒を裏面側から見た図、（ｂ）は（ａ）に示したＡ−Ａ’断面図である。
【図２】図１に示した封筒を開封する際の作用を説明するための図であり、（ａ）は開封する前の状態を示す図、（ｂ）は開封した後の状態を示す図である。
【図３】本発明の封筒の第２の実施の形態を示す図であり、（ａ）は封緘前の状態を示す図、（ｂ）は封緘した状態を示す図、（ｃ）は（ｂ）に示したＡ−Ａ’断面図である。
【図４】図３に示した封筒を開封する際の作用を説明するための図であり、（ａ）は開封する前の状態を示す図、（ｂ）は開封した後の状態を示す図であり、（ｃ）は封筒を開封した後、フラップ部に接着された状態の後面片の一部をフラップ部から剥離した状態を示す図である。
【図５】本発明の封筒の第３の実施の形態を示す図であり、（ａ）は封緘前の状態を示す図、（ｂ）は封緘した状態を示す図、（ｃ）は（ｂ）に示したＡ−Ａ’断面図である。
【図６】図５に示した封筒を開封する際の作用を説明するための図であり、（ａ）は開封する前の状態を示す図、（ｂ）は開封した後の状態を示す図である。
【図７】本発明の封筒の第４の実施の形態を示す図であり、（ａ）は封緘前の状態を示す図、（ｂ）は封緘した状態を示す図である。
【図８】フィルムを用いた従来の封筒の一構成例を示す図であり、（ａ）は封筒を裏面側から見た図、（ｂ）は（ａ）に示したＡ−Ａ’断面図である。
【図９】従来の封筒の他の構成例を示す図であり、（ａ）は封緘される前の状態を示す図、（ｂ）は封緘された後に開封された状態を示す図である。
【符号の説明】
１０    封筒本体
１１    前面片
１２    後面片
１３ａ，１３ｂ    折り部
１４    ミシン目
２０    フラップ部
２１    フラップ摘み代
２２ａ，２２ｂ    切り欠き部
３０    ホットメルト糊
４０    内容物
５１    通知情報
５３    スリット
５４    隠蔽部
１１４，２１４    切り込み
【図１】
2004352304.tif 000003
【図２】
2004352304.tif 000004
【図３】
2004352304.tif 000005
【図４】
2004352304.tif 000006
【図５】
2004352304.tif 000007
【図６】
2004352304.tif 000008
【図７】
2004352304.tif 000009
【図８】
2004352304.tif 000010
【図９】
2004352304.tif 000011